(57)【要約】【課題】災害時等の緊急時において容易に水等を運搬し保管することができる運搬保管ケースを提供する。【解決手段】運搬保管ケース１０は、中空状で、外形が略直方体状であり、上部に開口が設けられたケース本体１１を備える。ケース本体１１の内部には、水等の液体を入れた容器を収納する第１収納部１４と、第２収納部１５とが設けられている。第１収納部１４と第２収納部１５との間には、第１持ち手部１６が設けられている。ケース本体１１の対向する側壁１１Ａ，１１Ｂには、一対の第２持ち手部１７が設けられている。【選択図】図１
0003171337.tif 000002
【実用新案登録請求の範囲】
【請求項１】
内部に、液体を入れた容器を収納する第１収納部および第２収納部が設けられたケース本体を備え、
前記ケース本体の前記第１収納部と前記第２収納部との間には、第１持ち手部が設けられ、
前記ケース本体の対向する側壁には、一対の第２持ち手部が設けられた
ことを特徴とする運搬保管ケース。
【請求項２】
前記ケース本体の底部には、キャスターが設けられたことを特徴とする請求項１記載の運搬保管ケース。
【請求項３】
前記ケース本体に掛け渡して背負い、又は、前記第１持ち手部あるいは前記第２持ち手部にかけて引くための紐部材を備えたことを特徴とする請求項１または請求項２記載の運搬保管ケース。
【考案の詳細な説明】
【技術分野】
【０００１】
本考案は、災害時等の緊急時に水等を運搬したり保管したりする際に用いる運搬保管ケースに関する。
【背景技術】
【０００２】
天災地変等の災害時においては、ライフラインが寸断され、水道管等による給水ができず、給水車等により給水が行われる場合がある。そのような場合には、給水車等による給水所から自宅や避難所に水を運搬し、保管しなければならない。その際、一般的には、ペットボトル等の汎用の容器に水を入れ、それをポリ袋に入れて運搬する人が多い。しかし、水は非常に重く、その運搬は重労働である。災害時において毎日行う作業であることを考えると、その負担は少ないほうが好ましい。よって、少しでも楽に水を運搬することができ、かつ、容易に保管できるケースがあれば望ましい。
【先行技術文献】
【特許文献】
【０００３】
【特許文献１】特開２００７−２４６１１９号公報
【特許文献２】特開２００５−２８９４５２号公報
【特許文献３】特開平１０−１６７２７９号公報
【考案の概要】
【考案が解決しようとする課題】
【０００４】
本考案は、このような問題に基づきなされたものであり、容易に水等を運搬し保管することができる運搬保管ケースを提供することを目的とする。
【０００５】
なお、特許文献１から特許文献３には、災害時等の緊急時において水等を運搬するための容器が記載されているが、本願考案とは具体的構成が異なっている。
【課題を解決するための手段】
【０００６】
本考案の運搬保管ケースは、内部に、液体を入れた容器を収納する第１収納部および第２収納部が設けられたケース本体を備え、ケース本体の第１収納部と第２収納部との間には、第１持ち手部が設けられ、ケース本体の対向する側壁には、一対の第２持ち手部が設けられたものである。
【考案の効果】
【０００７】
本考案の運搬保管ケースによれば、内部に第１収納部および第２収納部が設けられたケース本体を備えるようにしたので、水などを入れた複数の容器をまとめて容易に運搬し、保管することができる。また、第１収納部と第２収納部との間に第１持ち手を設けるようにしたので、水などを入れた容器を第１収納部および第２収納部に収納し、バランスよく持ち運ぶことができる。更に、一対の第２持ち手部により、両手で持つこともできる。加えて、紐部材を用いれば、紐部材をケース本体に掛け渡して背負ったり、紐部材を第１持ち手または第２持ち手にかけて引くことにより、楽に運搬することもできる。
【０００８】
また、底部にキャスターを設けるようにすれば、より容易に移動させることができる。
【図面の簡単な説明】
【０００９】
【図１】本考案の一実施の形態に係る運搬保管ケースの構成を表す斜視図である。
【図２】図１に示した運搬保管ケースのＩ−Ｉ線に沿った断面図である。
【図３】図１に示した運搬保管ケースの変形例を表す図である。
【図４】図１に示した運搬保管ケースの変形例を表す他の図である。
【考案を実施するための形態】
【００１０】
以下、本考案の実施の形態について、図面を参照して詳細に説明する。
【００１１】
図１および図２は、本考案の一実施の形態に係る運搬保管ケース１０の構成を表すものである。この運搬保管ケース１０は、水等の液体を入れた容器Ｍを収納するケース本体１１を備えている。ケース本体１１は、例えば、中空状で、外形が略直方体状とされ、上部には、容器Ｍを出し入れするための開口が設けられている。ケース本体１１は、例えば、幅Ｗよりも長さＬの方が長く形成されることが好ましい。運搬および保管に便利だからである。また、ケース本体１１は、丈夫で軽量とすることが好ましく、例えば、プラスチックまたは木などにより構成することが好ましい。
【００１２】
ケース本体１１の内部には、例えば、内部を長さ方向において分割するための第１仕切板１２と第２仕切板１３とが、長さ方向において間隔を開けて、長さ方向の中心部に設けられている。これにより、ケース本体１１の内部は長さ方向において３つに分割されており、長さ方向において対向する一方の側壁１１Ａと第１仕切板１２との間に、容器Ｍを収納する第１収納部１４が設けられ、長さ方向において対向する他方の側壁１１Ｂと第２仕切板１３との間に、容器Ｍを収納する第２収納部１５が設けられている。第１収納部１４と第２収納部１５との大きさは、略同一とすることが好ましい。バランスを良くするためである。なお、図１および図２では、第１仕切板１２および第２仕切板１３がケース本体１１の高さ方向において全体にわたって設けられ、内部を完全に分割する場合について示したが、第１仕切板１２および第２仕切板１３を高さ方向の一部に設けるようにしてもよい。
【００１３】
第１収納部１４および第２収納部１５は、例えば、容器Ｍを複数本ずつ収納できるように構成されることが好ましく、容器Ｍとしては、例えば、ペットボトルなどのプラスチック製ボトルが好ましい。具体的には、例えば、第１収納部１４および第２収納部１５に、１．５リットルのプラスチック製ボトルを３本ずつ収納できるように構成することが好ましい。トイレにおいて使用する１回の水量は約３リットルなので、災害時において救援がくるまでに３日かかったとしても、１日１回使用して３日間分の水を確保することができるからである。また、水は非常に重いので、あまり大きくすると、運搬が大変になるからである。この場合、第１収納部１４および第２収納部１５は、長さ方向にプラスチック製ボトルを３本並べて収納できるように構成することが好ましい。運搬および保管に便利だからである。
【００１４】
第１収納部１４と第２収納部１５との間、すなわち第１仕切板１２と第２仕切板１３との間には、例えば、第１持ち手部１６が設けられている。第１持ち手部１６は、例えば、棒状のハンドル部を有している。例えば、第１持ち手部１６の一端部は第１仕切板１２に配設され、他端部は第２仕切板１３に配設され、ハンドル部はケース本体１１の長さ方向に伸長されるように配設されることが好ましい。運搬しやすいからである。
【００１５】
ケース本体１１の対向する側壁には、例えば、一対の第２持ち手部１７が設けられている。第２持ち手部１７は、例えば、ケース本体１１の長さ方向において対向する側壁１１Ａ，１１Ｂに設けられることが好ましい。運搬しやすいからである。第２持ち手部１７は、例えば、側壁の上方に孔または凹部を形成して持つことができるように構成されている。また、ケース本体１１の底部には、キャスター１８が設けられることが好ましい。更に、図示しないが、ケース本体１１の開口を覆う蓋を備えていてもよい。保管の際に便利だからである。例えば、災害時等の緊急時以外の日常時には、トイレのデッドスペースに置き、蓋をして、上に芳香剤やトイレットペーパー等を置いて使用し、緊急時には、給水に使用することができるからである。
【００１６】
図３および図４は、図１に示した運搬保管ケース１０の変形例を表すものである。運搬保管ケース１０は、上記構成に加えて、更に、ケース本体１１に掛け渡して背負い、又は、第１持ち手部１６あるいは第２持ち手部１７にかけて引くための紐部材１９を備えるようにしてもよい。手で持って運搬するだけでなく、紐部材１９を用いれば、例えば、図３に示したように背負ったり、図４に示したように引いたりして容易に運搬することができるからである。なお、紐部材１９は、第１収納部１４と第２収納部１５との間、例えば、第１仕切板１２と第２仕切板１３との間に収納するようにしてもよい。
【００１７】
このように本実施の形態の運搬保管ケース１０によれば、内部に第１収納部１４および第２収納部１５が設けられたケース本体１１を備えるようにしたので、水などを入れた複数の容器Ｍをまとめて容易に運搬し、保管することができる。また、第１収納部１４と第２収納部１５との間に第１持ち手１６を設けるようにしたので、水などを入れた容器Ｍを第１収納部１４および第２収納部１５に収納し、バランスよく持ち運ぶことができる。更に、一対の第２持ち手部１７により、両手で持つこともできる。
【００１８】
加えて、ケース本体１１の底部にキャスター１８を設けるようにすれば、より容易に移動させることができる。
【００１９】
更にまた、紐部材１９を用いれば、紐部材１９をケース本体に掛け渡して背負ったり、紐部材１９を第１持ち手１６または第２持ち手１７にかけて引くことにより、楽に運搬することもできる。
【００２０】
以上、実施の形態を挙げて本考案を説明したが、本考案は上記実施の形態に限定されるものではなく、種々変形可能である。例えば、上記実施の形態では、第１収納部１４および第２収納部１５の大きさおよび形状について具体的に例を挙げて説明したが、他の構成を有するようにしてもよい。例えば、収納する容器Ｍの大きさは、２リットル用や、５００ミリリットル用等でもよく、また、容器Ｍを複数列に並べて収納できるようにしてもよい。
【００２１】
また、上記実施の形態では、第１持ち手部１６および第２持ち手部１７の構造について具体的に説明したが、他の構造を有するようにしてもよい。
【産業上の利用可能性】
【００２２】
災害時等の緊急時において水等を運搬する際に用いることができる。
【符号の説明】
【００２３】
１０…運搬保管ケース、１１…ケース本体、１１Ａ，１１Ｂ…側壁、１２…第１仕切板、１３…第２仕切板、１４…第１収納部、１５…第２収納部、１６…第１持ち手部、１７…第２持ち手部、１８…キャスター、１９…紐部材
【図１】
0003171337.tif 000003
【図２】
0003171337.tif 000004
【図３】
0003171337.tif 000005
【図４】
0003171337.tif 000006